(57)【要約】【課題】シール材を用いずに水の侵入を防止し、組立性および安全性をより向上させた電装部を提供する。【解決手段】電装部は、樹脂材からなり電装基板１２を収納する電装基板収納ケース１３と、板金からなり電装基板収納ケース１３を収容保持する電装品箱１４と、電装基板収納ケース１３の上面から被せられる電装品蓋１５とからなり、電装基板収納ケース１３と電装品箱１４の両側壁に電装基板１２からのリード線１６を取り出すリード線取り出し部１３ａと１４ａが形成されているが、電装基板収納ケース１３のリード線取り出し部１３ａに、電装品箱１４のリード線取り出し部１４ａの開口縁を覆うフランジ１３ｂを形成すると共に、その先端に係止片１３ｃを形成し、これをリード線取り出し部１４ａに係止させた構成とする。【選択図】  図４
2005016916.tif 000002
【特許請求の範囲】
【請求項１】
電装基板を収納する上面が開放された電装基板収納ケースと、前記電装基板収納ケースを収容保持する上面が開放された電装品箱と、前記電装基板収納ケースの上面から被せられる電装品蓋とからなり、前記電装基板収納ケースと前記電装品箱の両側壁に前記電装基板からのリード線を取り出すリード線取り出し部を設けてなる電装部において、
前記電装基板収納ケースの前記リード線取り出し部に、前記電装品箱の前記リード線取り出し部の開口縁を覆うフランジを形成すると共に、その先端に、前記電装品箱のリード線取り出し部に係止させる係止片を設けてなることを特徴とする電装部。
【請求項２】
室外機本体内に、熱交換器、送風ファン、圧縮機および電装部とを具備し、同電装部を、電装基板を収納する上面が開放された電装基板収納ケースと、前記電装基板収納ケースを収容保持する上面が開放された電装品箱と、前記電装基板収納ケースの上面から被せられる電装品蓋とにより構成し、前記電装基板収納ケースと前記電装品箱の両側壁に前記電装基板からのリード線を取り出すリード線取り出し部を設けてなるものにおいて、
前記電装基板収納ケースの前記リード線取り出し部に、前記電装品箱の前記リード線取り出し部の開口縁を覆うフランジを形成すると共に、その先端に、前記電装品箱のリード線取り出し部に係止させる係止片を設けてなることを特徴とする室外機。
【請求項３】
前記電装基板収納ケースの上面から被せられる前記電装品蓋を、前記リード線取り出し部が隠れるように深く形成してなることを特徴とする請求項１記載の電装部または請求項２記載の室外機。
【発明の詳細な説明】
【０００１】
【発明の属する技術分野】
本発明は電装部およびそれを利用した空気調和機の室外機に係わり、より詳しくは、シール材等の補助部材を用いずに水の侵入を防止することができ、組立性および安全性を向上させるようにした電装部の構造に関する。
【０００２】
【従来の技術】
空気調和機の室外機において、その本体は例えば図１に示すような底板（ベース）１と、外胴からなり、この外胴は左側板２ａが一体に形成された前面カバー２と、Ｌ字状に形成された右側板３と、上面カバー４等で構成されており、本体内は底板１上に立設された仕切板５によって熱交換室６と機械室７とに区画され、熱交換室６には熱交換器８と、同熱交換器８により熱交換された空気を外部に送出する送風ファン９が配置され、一方の機械室７にはその下部に圧縮機１０が配置され、その上方に圧縮機１０および送風ファン（送風機）９等の運転制御を行う電装品を収めた電装部１１が配置されている。
【０００３】
電装部１１は、例えば図２および図５に示すように、樹脂材からなり電装基板１２を収納する上面が開放された電装基板収納ケース１３と、板金からなり電装基板収納ケース１３を収容保持する上面が開放された電装品箱１４と、電装基板収納ケース１３の上面から被せられる箱状の電装品蓋１５とからなり、電装基板収納ケース１３と電装品箱１４の近接する両側壁に電装基板１２からのリード線１６を取り出す凹状のリード線取り出し部１３ａと１４ａをそれぞれ設けた構成とし、リード線取り出し部１３ａ、１４ａとリード線１６との隙間にシール材を設ける等により水の侵入を防止するようになっていた。なお、これと類似した構造のものとしては（例えば、特許文献１、２参照）がある。
【０００４】
しかしながら、前記構成からなる電装部１１においては、リード線１６が板金からなる電装品箱１４のリード線取り出し部１４ａの開口縁に触れて傷つく恐れがあり、また、水の侵入防止にはシール材を用いなければならず、組立に手間がかかる等の問題があった。
【０００５】
【特許文献１】
特開平９ー２６１６４号公報（第３頁、第１図）
【特許文献２】
特開２０００ー９３３５号公報（第３頁、第４図）
【０００６】
【発明が解決しようとする課題】
本発明においては、上記の問題点に鑑み、組立が容易で、シール材を用いなくとも水の侵入防止を可能とし、安全性をより向上させた電装部を提供することを目的としている。
【０００７】
【課題を解決するための手段】
本発明は上記問題点を解決するため、電装基板を収納する上面が開放された電装基板収納ケースと、前記電装基板収納ケースを収容保持する上面が開放された電装品箱と、前記電装基板収納ケースの上面から被せられる電装品蓋とからなり、前記電装基板収納ケースと前記電装品箱の両側壁に前記電装基板からのリード線を取り出すリード線取り出し部を設けてなる電装部において、
前記電装基板収納ケースの前記リード線取り出し部に、前記電装品箱の前記リード線取り出し部の開口縁を覆うフランジを形成すると共に、その先端に、前記電装品箱のリード線取り出し部に係止させる係止片を設けてなる構成とする。
【０００８】
室外機本体内に、熱交換器、送風ファン、圧縮機および電装部とを具備し、同電装部を、電装基板を収納する上面が開放された電装基板収納ケースと、前記電装基板収納ケースを収容保持する上面が開放された電装品箱と、前記電装基板収納ケースの上面から被せられる電装品蓋とにより構成し、前記電装基板収納ケースと前記電装品箱の両側壁に前記電装基板からのリード線を取り出すリード線取り出し部を設けてなるものにおいて、
前記電装基板収納ケースの前記リード線取り出し部に、前記電装品箱の前記リード線取り出し部の開口縁を覆うフランジを形成すると共に、その先端に、前記電装品箱のリード線取り出し部に係止させる係止片を設けてなる構成とする。
【０００９】
前記電装基板収納ケースの上面から被せられる前記電装品蓋を、前記リード線取り出し部が隠れるように深く形成してなる構成とする。
【００１０】
【発明の実施の形態】
以下、本発明の実施の形態を図１〜図４に基づいて説明する。
図１は空気調和機の室外機の概略構成を示したもので、同室外機の本体は底板（ベース）１と、外胴からなり、この外胴は左側板２ａと連続して形成された前面カバー２と、Ｌ字状に形成された右側板３と、上面カバー４等で構成されており、本体内は底板１上に立設された仕切板５によって熱交換室６と機械室７とに区画され、熱交換室６には熱交換器８と、同熱交換器８により熱交換された空気を外部に送出する送風ファン９が配置され、一方の機械室７にはその下部に圧縮機１０が配置され、その上方に圧縮機１０および送風ファン（送風機）９等の運転制御を行うための電装品を収めた電装部１１が配置されている。
【００１１】
電装部１１は、図２に示すように、樹脂材からなり電装基板１２を収納する上面が開放された電装基板収納ケース１３と、板金からなり電装基板収納ケース１３を収容保持する上面が開放された電装品箱１４と、電装基板収納ケース１３の上面から被せられる箱状の電装品蓋１５とからなり、電装基板収納ケース１３と電装品箱１４の両側壁に電装基板１２（電装品１２ａ）からのリード線１６を取り出す凹状のリード線取り出し部１３ａと１４ａをそれぞれ設けた構成となっている。
【００１２】
図３は本発明の要部形態を拡大図示したもので、電装基板収納ケース１３のリード線取り出し部１３ａに、電装品箱１４のリード線取り出し部１４ａの開口縁を覆うフランジ１３ｂを形成するとともに、その下部先端に係止片１３ｃを一体に形成し、同係止片１３ｃを電装品箱１４のリード線取り出し部１４ａに係止させた形態になっている。
【００１３】
図４は上記構成からなる電装部１１の組立後の要部形態（図３のＡ−Ａ矢視）を断面図で示したもので、電装基板収納ケース１３のリード線取り出し部１３ａに設けたフランジ１３ｂが電装品箱１４のリード線取り出し部１４ａの開口縁を覆い、かつ、係止片１３ｃを電装品箱１４のリード線取り出し部１４ａに係止させた状態になっているのでリード線１６が電装品箱１４側のリード線取り出し部１４ａの開口縁に触れることはなく、リード線１６の傷つきを防止することができ、また、リード線取り出し部１３ａから取り出されたリード線１６は係止片１３ｃと、リード線取り出し部１３ａが隠れるように深く形成された電装品蓋１５とで挟持された状態となるのでシール材等を用いなくとも内部への水の侵入を防止することができる。
【００１４】
なお、図３および図４で示す係止片１３ｃは、略凹状になっているフランジ１３ｂの下部先端のみに設けられているが、この形態に限定するものではなく、左右も含めたフランジ１３ｂの先端全域に設けたものであってもよい。
【００１５】
【発明の効果】
以上説明したような構成からなる電装部であれば、シール材等の補助部材が不要であるため組立が容易であるとともにコストの低減が図れ、更に、リード線が傷ついたり、外部から水が侵入する恐れもないので、室外機の品質および安全性の向上にも寄与する。
【図面の簡単な説明】
【図１】本発明および従来例に係わる空気調和機の室外機の概略構成を示す斜視図である。
【図２】本発明および従来例に係わる電装部の概略構成を示す斜視図である。
【図３】本発明の実施の形態を示す電装部の要部拡大斜視図である。
【図４】本発明の実施の形態を示す電装部の要部拡大断面図である。
【図５】従来例を示す電装部の要部拡大斜視図である。
【符号の説明】
１１  電装部
１２  電装基板
１２ａ  電装品
１３  電装基板収納ケース
１３ａ  リード線取り出し部
１３ｂ  フランジ
１３ｃ  係止片
１４  電装品箱
１４ａ  リード線取り出し部
１５  電装品蓋
１６  リード線
１７  基板取付ネジ
【図１】
2005016916.tif 000003
【図２】
2005016916.tif 000004
【図３】
2005016916.tif 000005
【図４】
2005016916.tif 000006
【図５】
2005016916.tif 000007